(57)【要約】【課題】水圧に対する強度及び衝突に対する耐久性が高く、しかも低コストで製造することのできるブイを提供する。【解決手段】浮力体１をゴムによって形成するとともに、浮力体１の内部に補強部材２を設け、補強部材２を浮力体１の内面に沿って形成したので、海面上で使用する場合、船舶等と衝突しても浮力体１が容易に損傷することがなく、衝突に対する耐久性を高めることができる。また、海中で使用する場合は、水深が深くなっても水圧により容易に収縮することがなく、水圧に対する強度を高めることができる。この場合、浮力体１は補強部材２によって補強されるので、浮力体１に耐圧性の高い材料を用いる必要がなく、低コストで製造することができるとともに、浮力体１内の空気圧を低くすることができ、高圧による浮力体１の破裂を防止することができる。【選択図】図１
0003119220.tif 000002
【実用新案登録請求の範囲】
【請求項１】
浮力体を中空状のゴムによって形成してなるブイにおいて、
前記浮力体の内部に補強部材を設けるとともに、補強部材を浮力体の内面に沿って形成した
ことを特徴とするブイ。
【請求項２】
前記補強部材を可撓性の管状部材によって形成し、その内部に補強部材に浮力体の内面への押圧力を付与する流体を充填した
ことを特徴とする請求項１記載のブイ。
【請求項３】
前記流体として気体を用いた
ことを特徴とする請求項２記載のブイ。
【請求項４】
前記流体として液体を用いた
ことを特徴とする請求項２記載のブイ。
【請求項５】
前記補強部材を螺旋状に形成した
ことを特徴とする請求項１、２、３または４記載のブイ。
【請求項６】
前記補強部材をリング状に形成して浮力体内の複数箇所に設けた
ことを特徴とする請求項１、２、３または４記載のブイ。
【請求項７】
前記補強部材をゴム製の部材によって形成した
ことを特徴とする請求項１記載のブイ。
【請求項８】
前記補強部材を鋼製の部材によって形成した
ことを特徴とする請求項１記載のブイ。
【考案の詳細な説明】
【技術分野】
【０００１】
本考案は、例えば船舶係留用、観測用、標識用等として使用されるブイに関するものである。
【背景技術】
【０００２】
従来、例えば船舶係留用として使用されるブイは、海底のアンカーにチェーンを介して連結され、海面上または海中に位置するように設置されている（例えば、特許文献１参照。）。このブイは、中空状に形成された浮力体からなり、浮力体はゴム製の部材からなる軟質のものと、ポリエチレンフォームやシンタクチックフォームをウレタンで被覆した硬質のものがあり、何れも内部に空気が封入されている。
【特許文献１】特開昭６１−１２９３９２号公報
【考案の開示】
【考案が解決しようとする課題】
【０００３】
しかしながら、軟質の浮力体からなるブイは、海中で使用される場合、水深が深くなると水圧の上昇により浮力体が収縮し、これにより浮力体の容積が減少して浮力が低下し、場合によっては海底まで沈むおそれもある。また、深い水深で使用するためには空気圧を高くする必要があるが、この場合は浮力体に耐圧性の高い材料を用いる必要があり、製造コストが高くなるという問題点があった。一方、硬質の浮力体からなるブイは、水圧による変形は少ないが、弾力性に欠ける分、衝突により損傷し易く、シンタクチックフォームを用いたものはコストも高いという問題点があった。
【０００４】
本考案は前記問題点に鑑みてなされたものであり、その目的とするところは、水圧に対する強度及び衝突に対する耐久性が高く、しかも低コストで製造することのできるブイを提供することにある。
【課題を解決するための手段】
【０００５】
本考案は前記目的を達成するために、浮力体を中空状のゴムによって形成してなるブイにおいて、前記浮力体の内部に補強部材を設けるとともに、補強部材を浮力体の内面に沿って形成している。
【０００６】
これにより、例えば海面上で使用する場合、浮力体は弾力性のあるゴム製であるため、船舶等と衝突しても浮力体が容易に損傷することがない。また、海中で使用する場合は、水深が深くなると浮力体に加わる水圧が上昇するが、浮力体は補強部材によって内面側から補強されているため、水圧が上昇しても容易に収縮することがない。この場合、浮力体は補強部材によって補強されるので、浮力体に耐圧性の高い材料を用いる必要がない。
【考案の効果】
【０００７】
本考案のブイによれば、例えば海面上で使用する場合、船舶等と衝突しても浮力体が容易に損傷することがないので、衝突に対する耐久性を高めることができる。また、海中で使用する場合は、水深が深くなっても水圧により容易に収縮することがないので、水圧に対する強度を高めることができる。この場合、浮力体は補強部材によって補強されるので、浮力体に耐圧性の高い材料を用いる必要がなく、低コストで製造することができるとともに、浮力体内の空気圧を低くすることができ、高圧による浮力体の破裂を防止することができる。
【考案を実施するための最良の形態】
【０００８】
図１は本考案の一実施形態を示すブイの一部断面側面図である。
【０００９】
このブイは、中空状に形成された浮力体１と、浮力体１の内部に設けられた補強部材２とからなり、アンカーチェーン３を介して海底のアンカー４に連結され、例えば船舶や洋上基地等の浮体式構造物の係留用に使用されるものである。
【００１０】
浮力体１は縦長の長円形に形成され、繊維で補強されたゴム製の部材からなる。浮力体１は内部に空気が封入されるとともに、上端に船舶側のチェーン（図示せず）と連結するための連結部１ａを有し、下端にはアンカーチェーン３に連結される連結部１ｂが設けられている。
【００１１】
補強部材２はゴムチューブ等の可撓性の管状部材からなり、浮力体１の内面に沿って螺旋状に形成されている。補強部材２は両端を閉塞するとともに、その内部には空気が充填され、空気の圧力によって補強部材２が浮力体１の内面に押圧されるようになっている。また、補強部材２の一端には浮力体１の外部から空気を充填するためのホース２ａが接続され、ホース２ａは図示しないバルブによって開閉するようになっている。
【００１２】
以上のように構成されたブイは、浮力体１をアンカーチェーン３に連結され、海面上または海中に位置するように設置される。このブイを海面上で使用する場合、浮力体１は弾力性のあるゴム製であるため、船舶等と衝突しても浮力体１が容易に損傷することがない。また、海中で使用する場合は、水深が深くなると浮力体１に加わる水圧が上昇するが、浮力体１は補強部材２によって内面側から補強されているため、水圧が上昇しても容易に収縮することがない。
【００１３】
このように、本実施形態のブイによれば、浮力体１をゴムによって形成するとともに、浮力体１の内部に補強部材２を設け、補強部材２を浮力体１の内面に沿って形成したので、海面上で使用する場合、船舶等と衝突しても浮力体１が容易に損傷することがなく、衝突に対する耐久性を高めることができる。また、海中で使用する場合は、水深が深くなっても水圧により容易に収縮することがなく、水圧に対する強度を高めることができる。この場合、浮力体１は補強部材２によって補強されるので、浮力体１に耐圧性の高い材料を用いる必要がなく、低コストで製造することができるとともに、浮力体１内の空気圧を低くすることができ、高圧による浮力体１の破裂を防止することができる。
【００１４】
また、補強部材２を可撓性の管状部材によって形成し、その内部に空気を封入することにより、補強部材２に浮力体１の内面への押圧力を付与するようにしたので、補強部材２をゴムチューブ等の安価な材料によって低コストに形成することができるとともに、補強部材２内の空気圧によって浮力体１を確実に補強することができる。
【００１５】
この場合、補強部材２を螺旋状に形成したので、補強部材２を浮力体１の内面に沿うように連続して形成することができ、部品点数を少なくすることができる。
【００１６】
尚、前記実施形態では、補強部材２内に充填される流体として空気を用いたものを示したが、窒素等の気体や水等の液体を充填するようにしてもよい。また、前記実施形態では、補強部材２を管状部材によって形成し、内部に流体を充填するようにしたものを示したが、補強部材２を管状でない無垢のゴム製部材または鋼製部材によって螺旋状に形成するようにしてもよい。
【００１７】
図２は本考案の他の実施形態を示すブイの一部断面側面図であり、前記実施形態と同等の構成部分には同一の符号を付して示す。
【００１８】
本実施形態のブイは、前記螺旋状の補強部材２に代えて、浮力体１の内面に沿って形成された複数のリング状の補強部材５を有し、各補強部材５を浮力体１内に互いに上下方向に間隔をおいて配置したものである。この場合、各補強部材５には管状でない無垢のゴム製部材または鋼製部材が用いられる。
【００１９】
本実施形態によれば、浮力体１の内面に沿って形成された複数の補強部材５によってゴム製の浮力体１を補強するようにしたので、前記実施形態と同様、水圧に対する強度及び衝突に対する耐久性を高めることができるとともに、低コストで製造することができる。
【００２０】
また、本実施形態では、各補強部材５をリング状に形成して浮力体１内の複数箇所に設けたので、浮力体１の大きさや仕様に応じた数の補強部材５を用いることができ、部品の共通化を図ることができる。
【００２１】
尚、本実施形態では、各補強部材５を管状でない無垢のリング状部材によって形成したものを示したが、前記実施形態のように各補強部材５を管状の部材によって形成し、内部に気体や液体等の流体を充填するようにしてもよい。
【図面の簡単な説明】
【００２２】
【図１】本考案の一実施形態を示すブイの一部断面側面図
【図２】本考案の他の一実施形態を示すブイの一部断面側面図
【符号の説明】
【００２３】
１…浮力体、２，５…補強部材。
【図１】
0003119220.tif 000003
【図２】
0003119220.tif 000004